(57)【特許請求の範囲】
【請求項１】
被写体を撮像する撮像手段を有するデジタルカメラにおいて、
画像データに基づく画像を表示する外部画像表示装置から送られてくる、該外部画像表示装置が有する画像の表示能力に関する能力情報を受信する受信手段と、
この受信手段により受信された能力情報に基づいて、前記撮像手段により撮像された元画像データを前記外部画像表示装置が有する画像の表示能力に応じた画像データに変換する変換手段と、
この変換手段による変換後の画像データを前記外部画像表示装置へ出力する出力手段と
を備えたことを特徴とするデジタルカメラ。
【請求項２】
前記能力情報は、前記外部画像表示装置における表示色数と、この表示色数分の色を特定する色情報とを含むことを特徴とする請求項１記載のデジタルカメラ。
【請求項３】
前記能力情報は、前記外部画像表示装置において表示可能な最大サイズを示す画像サイズ情報を含むことを特徴とする請求項１又は２記載のデジタルカメラ。
【請求項４】
前記能力情報は、前記外部画像表示装置における表示色数を示す色数情報を含み、
前記表示色数分の色を特定する色情報を記憶する記憶手段を備え、
前記変換手段は、前記受信手段により受信された色数情報および前記記憶手段に記憶されている色情報に基づいて前記元画像データを前記外部画像表示装置が有する画像の表示能力に応じた画像データに変換することを特徴とする請求項１記載のデジタルカメラ。
【請求項５】
被写体を撮像する撮像手段を有するデジタルカメラにおいて、
画像データに基づく画像を表示する外部画像表示装置における画像の表示能力に関する能力情報を記憶する記憶手段と、
この記憶手段に記憶されている能力情報に基づいて、前記撮像手段により撮像された元画像データを前記外部画像表示装置が有する画像の表示能力に応じた画像データに変換する変換手段と、
この変換手段による変換後の画像データを前記外部画像表示装置へ出力する出力手段と
を備えたことを特徴とするデジタルカメラ。
【請求項６】
前記変換手段は、前記出力手段による画像データの前記外部画像表示装置への出力準備段階で、前記元画像データを前記外部画像表示装置が有する画像表示能力に応じた画像データに変換することを特徴とする請求項５記載のデジタルカメラ。
【請求項７】
前記変換手段による変換後の画像データを記憶する変換画像データ記憶手段を備え、
前記出力手段は、その変換画像データ記憶手段に記憶された変換後の画像データを前記外部画像表示装置へ出力することを特徴とする請求項５記載のデジタルカメラ。
【請求項８】
前記記憶手段は異なる複数の前記能力情報を記憶し、
前記記憶手段に記憶されている複数の能力情報のうちの１つを使用者に選択させるための選択手段を備え、
前記変換手段は、その選択手段により使用者に選択された能力情報に基づいて前記元画像データを前記外部画像表示装置が有する画像の表示能力に応じた画像データに変換することを特徴とする請求項５，６又は７記載のデジタルカメラ。
【請求項９】
前記記憶手段は、前記能力情報と、前記外部画像表示装置が有する画像の表示能力を特定する特定情報とを対応付けて複数組記憶し、
前記選択手段は、前記記憶手段に記憶されている複数の特定情報のうちの１つを使用者に選択させ、
前記変換手段は、前記選択手段により選択された特定情報と対応付けて前記記憶手段に記憶されている能力情報に基づいて前記元画像データを前記外部画像表示装置が有する画像の表示能力に応じた画像データに変換することを特徴とする請求項８記載のデジタルカメラ。
【請求項１０】
前記記憶手段は異なる複数の前記能力情報を記憶し、
前記変換手段は前記記憶手段に記憶されている異なる複数の前記能力情報に基づいて複数の画像データを生成し、
前記変換画像データ記憶手段は前記変換手段により生成された複数の変換後の画像データを記憶し、
前記外部画像表示装置から送られてくる当該外部画像表示装置が有する画像の表示能力を特定する特定情報を受信する特定情報受信手段を備え、
前記出力手段は、前記変換画像データ記憶手段に記憶された複数の変換後の画像データのうち、前記特定情報受信手段により受信された特定情報により特定される表示能力に応じた画像データを出力することを特徴とする請求項７記載のデジタルカメラ。
【請求項１１】
前記記憶手段は異なる複数の前記能力情報を記憶し、
前記変換手段は前記記憶手段に記憶されている異なる複数の前記能力情報に基づいて複数の画像データを生成し、
前記変換画像データ記憶手段は前記変換手段により生成された複数の変換後の画像データを記憶し、
前記変換画像データ記憶手段に記憶されている複数の変換後の画像データのうちの１つを使用者に選択させるための選択手段を備え、
前記出力手段は、その選択手段により使用者に選択された変換後の画像データを出力することを特徴とする請求項７記載のデジタルカメラ。
【請求項１２】
前記記憶手段は異なる複数の前記能力情報を記憶し、
前記外部画像表示装置から送られてくる当該外部画像表示装置が有する画像の表示能力を特定する特定情報を受信する特定情報受信手段を備え、
前記変換手段は、その特定情報受信手段により受信された特定情報により特定される表示能力に基づいて前記元画像データを前記外部画像表示装置が有する画像の表示能力に応じた画像データに変換することを特徴とする請求項５，６又は７記載のデジタルカメラ。
【請求項１３】
前記記憶手段は、前記能力情報と、前記外部画像表示装置が有する画像の表示能力を特定する特定情報とを対応付けて複数組記憶し、
前記変換手段は、前記特定情報受信手段により受信された特定情報と一致する特定情報と対応付けて前記記憶手段に記憶されている能力情報に基づいて前記元画像データを前記外部画像表示装置が有する画像の表示能力に応じた画像データに変換することを特徴とする請求項１２記載のデジタルカメラ。
【請求項１４】
前記撮像手段により撮像された画像を元画像データとして記録する記録手段を備え、
前記変換画像データ記憶手段は、その記録手段に記録された元画像データに関連付けて前記変換後の画像データを記憶することを特徴とする請求項７記載のデジタルカメラ。
【請求項１５】
前記記憶手段は、異なる複数の前記能力情報を記憶するとともに、各能力情報と対応付けて前記外部画像表示装置が有する画像表示能力を特定する特定情報を記憶し、
前記記憶手段に記憶されている複数の特定情報のうちの１つを使用者に選択させる特定情報選択手段を備え、
前記変換手段は、前記特定情報選択手段により選択された特定情報と対応付けて前記記憶手段に記憶されている能力情報に基づいて前記元画像データを前記外部画像表示装置が有する画像の表示能力に応じた画像データに変換することを特徴とする請求項１４記載のデジタルカメラ。
【請求項１６】
前記記録手段は、前記撮像手段により撮像された複数の画像を元画像データとして記録し、
前記記録手段に記録されている複数の元画像データのうちの１つを使用者に選択させる画像選択手段を備え、
前記出力手段は、前記画像選択手段により選択された元画像データと関連付けて前記変換画像データ記憶手段に記憶されている前記変換後の画像データを前記外部画像表示装置へ出力することを特徴とする請求項１４又は１５記載のデジタルカメラ。
【請求項１７】
前記撮像手段により撮像された画像からサイズの異なる複数の画像データを生成する生成手段と、
この生成手段により生成された複数の画像データを記録する記録手段と、
この記録手段に記憶されている同一内容の画像を構成する複数の画像データの中から、前記外部画像表示装置が有する画像の表示能力に応じた画像データへの変換速度が最速の画像データを、前記変換手段の変換対象として設定する設定手段と
を備えたことを特徴とする請求項１乃至１３のいずれか記載のデジタルカメラ。
【請求項１８】
前記外部画像表示装置は、携帯電話機であることを特徴とする請求項１乃至１７のいずれか記載のデジタルカメラ。
【請求項１９】
前記外部画像表示装置は、携帯電話機であり、
前記特定情報は、前記携帯電話機の機種を特定する情報であることを特徴とする請求項９、１０、１２、１３又は１５記載のデジタルカメラ。
【請求項２０】
被写体を撮像する撮像手段と、この撮像手段により撮像された画像データを外部出力する外部出力手段とを有するデジタルカメラにおいて、
前記撮像手段により撮像された画像データを、前記外部出力手段による外部出力用の画像データに変換する変換手段と、
前記撮像手段により撮像された画像からサイズの異なる複数の画像データを生成する生成手段と、
この生成手段により生成された複数の画像データを記録する記録手段と、
前記生成手段により生成された複数の画像データの中から、前記外部出力用の画像データへの変換速度が最速の画像データを、前記変換手段の変換対象として設定する設定手段と
を備えたことを特徴とするデジタルカメラ。
【請求項２１】
画像データに基づく画像を表示する表示手段と、
この表示手段における画像の表示能力に関する能力情報を、被写体を撮像し画像データとして記録するデジタルカメラに出力する出力手段と、
前記デジタルカメラにおいて元画像データから前記能力情報に基づき変換された後の画像データを受信する受信手段と、
この受信手段により受信された画像データに基づく画像を前記表示手段に表示させる制御手段と
を備えたことを特徴とする画像表示装置。
【請求項２２】
前記能力情報は、前記表示手段における表示色数と、この表示色数分の色を特定する色情報とを含むことを特徴とする請求項２１記載の画像表示装置。
【請求項２３】
前記能力情報は、前記表示手段において表示可能な最大サイズを示す画像サイズ情報を含むことを特徴とする請求項２１又は２２記載の画像表示装置。
【請求項２４】
前記画像表示装置は、携帯電話機であることを特徴とする請求項２１乃至２３のいずれか記載の画像表示装置。
【請求項２５】
画像データに基づく画像を表示する表示手段と、
この表示手段における画像の表示能力を特定する特定情報を、被写体を撮像し画像データとして記録するデジタルカメラに出力する出力手段と、
前記デジタルカメラにおいて元画像データから前記特定情報により特定される表示能力に応じて変換された後の画像データを受信する受信手段と、
この受信手段により受信された画像データに基づく画像を前記表示手段に表示させる制御手段と
を備えたことを特徴とする画像表示装置。
【請求項２６】
前記画像表示装置は、携帯電話機であり、
前記特定情報は、前記携帯電話機の機種を特定する情報であることを特徴とする請求項２５記載の画像表示装置。
【請求項２７】
被写体を撮像し画像データとして記録するデジタルカメラと、このデジタルカメラから受信した画像データに基づく画像を表示する外部画像表示装置とからなる画像送受信システムであって、
前記外部画像表示装置は、
該外部画像表示装置が有する画像の表示能力に関する能力情報を前記デジタルカメラに出力する第１の出力手段を備え、
前記デジタルカメラは、
前記第１の出力手段から出力された前記能力情報を受信する第１の受信手段と、
この第１の受信手段により受信された能力情報に基づいて、元画像データを前記外部画像表示装置が有する画像の表示能力に応じた画像データに変換する変換手段と、
この変換手段による変換後の画像データを前記外部画像表示装置へ出力する第２の出力手段とを備え、
前記外部画像表示装置は、更に、
前記第２の出力手段から出力された変換後の画像データを受信する第２の受信手段と、
この第２の受信手段により受信された画像データに基づく画像を前記表示手段に表示させる制御手段とを備えた
ことを特徴とする画像送受信システム。
【請求項２８】
被写体を撮像し画像データとして記録するデジタルカメラと、このデジタルカメラから受信した画像データに基づく画像を表示する外部画像表示装置とからなる画像送受信システムであって、
前記外部画像表示装置は、
該外部画像表示装置が有する画像の表示能力を特定する特定情報を前記デジタルカメラに出力する第１の出力手段を備え、
前記デジタルカメラは、
異なる複数の前記能力情報を記憶する記憶手段と、
前記第１の出力手段から出力された前記特定情報を受信する第１の受信手段と、
この第１の受信手段により受信された特定情報により特定される、前記記憶手段に記憶されている能力情報に基づいて、元画像データを前記外部画像表示装置が有する画像の表示能力に応じた画像データに変換する変換手段と、
この変換手段による変換後の画像データを前記外部画像表示装置へ出力する第２の出力手段とを備え、
前記外部画像表示装置は、更に、
前記第２の出力手段から出力された変換後の画像データを受信する第２の受信手段と、
この第２の受信手段により受信された画像データに基づく画像を前記表示手段に表示させる制御手段とを備えた
ことを特徴とする画像送受信システム。
【発明の詳細な説明】
【０００１】
【発明の属する技術分野】
本発明は、デジタルカメラ、画像表示装置及び画像送受信システムに関する。
【０００２】
【従来の技術】
近年、ＣＣＤ等の固体撮像素子を用いて撮像した被写体画像を画像データとしてフラッシュメモリ等の記録媒体に記録するデジタルカメラが普及している。デジタルカメラにおいては、周知のようにビューファインダーとしてカラーＬＣＤ（液晶表示器）を備えたものが多く、撮影した画像は他の機器を必要とすることなく表示可能となっている。また、この種のデジタルカメラには、例えば赤外線通信によって他のデジタルカメラやパーソナルコンピュータ等の外部機器との間で、画像データを相互に送受信できるものがあった。
【０００３】
【発明が解決しようとする課題】
しかしながら、前述した他の外部機器を例えばＰＨＳ端末や携帯電話機とした場合、それらが有するＬＣＤの表示面積は小さく、また、カラー表示ができないか、或いはそれが可能であっても表現可能な色数が極めて少ない等、画像の表示能力が低いものが多いにもかかわらず、デジタルカメラは外部機器の画像の表示能力に関係なくフルの画像データを外部機器に送信するため、外部機器は受信時に画像を表示能力に合った画像に変換しなければならず、外部機器側の処理に負担がかかってしまうという問題があった。したがって、デジタルカメラに記録した画像データを上記のような外部機器との間で共用する、例えばデジタルカメラで撮影した画像を携帯電話機等の表示画面の壁紙として使用したくても、それが直ちに行えないといった問題があった。
【０００４】
本発明は、かかる従来の課題に鑑みてなされたものであり、デジタルカメラで撮影した画像を、表示能力が低い表示手段しか有していない外部機器においても直ちに使用することを可能とするデジタルカメラ、画像表示装置及び画像送受信システムを提供することを目的とする。
【０００５】
【課題を解決するための手段】
前記課題を解決するために請求項１の発明にあっては、被写体を撮像する撮像手段を有するデジタルカメラにおいて、画像データに基づく画像を表示する外部画像表示装置から送られてくる、該外部画像表示装置が有する画像の表示能力に関する能力情報を受信する受信手段と、この受信手段により受信された能力情報に基づいて、前記撮像手段により撮像された元画像データを前記外部画像表示装置が有する画像の表示能力に応じた画像データに変換する変換手段と、この変換手段による変換後の画像データを前記外部画像表示装置へ出力する出力手段とを備えたものとした。かかる構成において、デジタルカメラに記録されている画像データを外部画像表示装置へ出力するとき、それが外部画像表示装置の表示能力に適した画像データとして出力できる。
【０００８】
また、請求項２の発明にあっては、前記能力情報は、前記外部画像表示装置における表示色数と、この表示色数分の色を特定する色情報とを含むものとした。かかる構成においては、外部画像表示装置において画像を表示したとき元の画像の色がより一層正確に再現できる。
また、請求項３の発明にあっては、前記能力情報は、前記外部画像表示装置において表示可能な最大サイズを示す画像サイズ情報を含むものとした。
【０００９】
また、請求項４の発明にあっては、前記能力情報は、前記外部画像表示装置における表示色数を示す色数情報を含み、前記表示色数分の色を特定する色情報を記憶する記憶手段を備え、前記変換手段は、前記受信手段により受信された色数情報および前記記憶手段に記憶されている色情報に基づいて前記元画像データを前記外部画像表示装置が有する画像の表示能力に応じた画像データに変換するものとした。かかる構成においても、外部画像表示装置において画像を表示したとき元の画像の色がより一層正確に再現できる。
【００１０】
また、請求項５の発明にあっては、前記外部画像表示装置における画像の表示能力に関する能力情報を記憶する記憶手段を備え、前記変換手段は、その記憶手段に記憶されている能力情報に基づいて前記元画像データを前記外部画像表示装置が有する画像の表示能力に応じた画像データに変換するものとした。かかる構成においては、記録されている画像データを外部画像表示装置へ出力する時点では変換処理に時間が不要となるため、外部画像表示装置の表示能力に適した画像データが瞬時に出力される。
【００１１】
また、請求項６の発明にあっては、前記変換手段は、前記出力手段による画像データの前記外部画像表示装置への出力準備段階で、前記元画像データを前記外部画像表示装置が有する画像表示能力に応じた画像データに変換するものとした。かかる構成においては、デジタルカメラに外部画像表示装置へ出力する画像データを事前に用意しなくとも良く、メモリが節約できる。
【００１２】
また、請求項７の発明にあっては、前記変換手段による変換後の画像データを記憶する変換画像データ記憶手段を備え、前記出力手段は、その変換画像データ記憶手段に記憶された変換後の画像データを前記外部画像表示装置へ出力するものとした。
【００１３】
また、請求項８の発明にあっては、前記記憶手段は異なる複数の前記能力情報を記憶し、前記記憶手段に記憶されている複数の能力情報のうちの１つを使用者に選択させるための選択手段を備え、前記変換手段は、その選択手段により使用者に選択された能力情報に基づいて前記元画像データを前記外部画像表示装置が有する画像の表示能力に応じた画像データに変換するものとした。かかる構成においては、画像の表示能力が異なる複数の外部画像表示装置に対しても、それに適した画像データを出力することができる。
また、請求項９の発明にあっては、前記記憶手段は、前記能力情報と、前記外部画像表示装置が有する画像の表示能力を特定する特定情報とを対応付けて複数組記憶し、前記選択手段は、前記記憶手段に記憶されている複数の特定情報のうちの１つを使用者に選択させ、前記変換手段は、前記選択手段により選択された特定情報と対応付けて前記記憶手段に記憶されている能力情報に基づいて前記元画像データを前記外部画像表示装置が有する画像の表示能力に応じた画像データに変換するものとした。
【００１４】
また、請求項１０の発明にあっては、前記記憶手段は異なる複数の前記能力情報を記憶し、前記変換手段は前記記憶手段に記憶されている異なる複数の前記能力情報に基づいて複数の画像データを生成し、前記変換画像データ記憶手段は前記変換手段により生成された複数の変換後の画像データを記憶し、前記外部画像表示装置から送られてくる当該外部画像表示装置が有する画像の表示能力を特定する特定情報を受信する特定情報受信手段を備え、前記出力手段は、前記変換画像データ記憶手段に記憶された複数の変換後の画像データのうち、前記特定情報受信手段により受信された特定情報により特定される表示能力に応じた画像データを出力するものとした。かかる構成においても、画像の表示能力が異なる複数の外部画像表示装置に対しても、それに適した画像データを出力することができる。
【００１５】
また、請求項１１の発明にあっては、前記記憶手段は異なる複数の前記能力情報を記憶し、前記変換手段は前記記憶手段に記憶されている異なる複数の前記能力情報に基づいて複数の画像データを生成し、前記変換画像データ記憶手段は前記変換手段により生成された複数の変換後の画像データを記憶し、前記変換画像データ記憶手段に記憶されている複数の変換後の画像データのうちの１つを使用者に選択させるための選択手段を備え、前記出力手段は、その選択手段により使用者に選択された変換後の画像データを出力するものとした。かかる構成においても、画像の表示能力が異なる複数の外部画像表示装置に対し、それに適した画像データを出力させることができる。
【００１６】
また、請求項１２の発明にあっては、前記記憶手段は異なる複数の前記能力情報を記憶し、前記外部画像表示装置から送られてくる当該外部画像表示装置が有する画像の表示能力を特定する特定情報を受信する特定情報受信手段を備え、前記変換手段は、その特定情報受信手段により受信された特定情報により特定される表示能力に基づいて前記元画像データを前記外部画像表示装置が有する画像の表示能力に応じた画像データに変換するものとした。
また、請求項１３の発明にあっては、前記記憶手段は、前記能力情報と、前記外部画像表示装置が有する画像の表示能力を特定する特定情報とを対応付けて複数組記憶し、前記変換手段は、前記特定情報受信手段により受信された特定情報と一致する特定情報と対応付けて前記記憶手段に記憶されている能力情報に基づいて前記元画像データを前記外部画像表示装置が有する画像の表示能力に応じた画像データに変換するものとした。
【００１７】
また、請求項１４の発明にあっては、前記撮像手段により撮像された画像を元画像データとして記録する記録手段を備え、前記変換画像データ記憶手段は、その記録手段に記録された元画像データに関連付けて前記変換後の画像データを記憶するものとした。
また、請求項１５の発明にあっては、前記記憶手段は、異なる複数の前記能力情報を記憶するとともに、各能力情報と対応付けて前記外部画像表示装置が有する画像表示能力を特定する特定情報を記憶し、前記記憶手段に記憶されている複数の特定情報のうちの１つを使用者に選択させる特定情報選択手段を備え、前記変換手段は、前記特定情報選択手段により選択された特定情報と対応付けて前記記憶手段に記憶されている能力情報に基づいて前記元画像データを前記外部画像表示装置が有する画像の表示能力に応じた画像データに変換するものとした。
また、請求項１６の発明にあっては、前記記録手段は、前記撮像手段により撮像された複数の画像を元画像データとして記録し、前記記録手段に記録されている複数の元画像データのうちの１つを使用者に選択させる画像選択手段を備え、前記出力手段は、前記画像選択手段により選択された元画像データと関連付けて前記変換画像データ記憶手段に記憶されている前記変換後の画像データを前記外部画像表示装置へ出力するものとした。
【００１８】
また、請求項１７の発明にあっては、前記撮像手段により撮像された画像からサイズの異なる複数の画像データを生成する生成手段と、この生成手段により生成された複数の画像データを記録する記録手段と、この記録手段に記憶されている同一内容の画像を構成する複数の画像データの中から、前記外部画像表示装置が有する画像の表示能力に応じた画像データへの変換速度が最速の画像データを、前記変換手段の変換対象として設定する設定手段とを備えものとした。かかる構成においては、外部画像表示装置に出力する画像データを作成する時間が短縮される。
また、請求項１８の発明にあっては、前記外部画像表示装置は、携帯電話機であるものとした。
また、請求項１９の発明にあっては、前記外部画像表示装置は、携帯電話機であり、 前記特定情報は、前記携帯電話機の機種を特定する情報であるものとした。
【００１９】
また、請求項２０の発明にあっては、被写体を撮像する撮像手段と、この撮像手段により撮像された画像データを外部出力する外部出力手段とを有するデジタルカメラにおいて、前記撮像手段により撮像された画像データを、前記外部出力手段による外部出力用の画像データに変換する変換手段と、前記撮像手段により撮像された画像からサイズの異なる複数の画像データを生成する生成手段と、この生成手段により生成された複数の画像データを記録する記録手段と、前記生成手段により生成された複数の画像データの中から、前記外部出力用の画像データへの変換速度が最速の画像データを、前記変換手段の変換対象として設定する設定手段とを備えたものとした。かかる構成においては、撮像され画像データを短時間で外部出力用の画像データに変換することができる。
【００２０】
また、請求項２１の発明にあっては、画像データに基づく画像を表示する表示手段と、この表示手段における画像の表示能力に関する能力情報を、被写体を撮像し画像データとして記録するデジタルカメラに出力する出力手段と、前記デジタルカメラにおいて元画像データから前記能力情報に基づき変換された後の画像データを受信する受信手段と、この受信手段により受信された画像データに基づく画像を前記表示手段に表示させる制御手段とを備えたものとした。かかる構成においては、常に自己の画像の表示能力に適した画像データをデジタルカメラから受信することができる。
また、請求項２２の発明にあっては、前記能力情報は、前記表示手段における表示色数と、この表示色数分の色を特定する色情報とを含むものとした。
また、請求項２３の発明にあっては、前記能力情報は、前記表示手段において表示可能な最大サイズを示す画像サイズ情報を含むものとした。
また、請求項２４の発明にあっては、前記画像表示装置は、携帯電話機であるものとした。
【００２１】
また、請求項２５の発明にあっては、画像データに基づく画像を表示する表示手段と、この表示手段における画像の表示能力を特定する特定情報を、被写体を撮像し画像データとして記録するデジタルカメラに出力する出力手段と、前記デジタルカメラにおいて元画像データから前記特定情報により特定される表示能力に応じて変換された後の画像データを受信する受信手段と、この受信手段により受信された画像データに基づく画像を前記表示手段に表示させる制御手段とを備えたものとした。かかる構成においても、常に自己の画像の表示能力に適した画像データをデジタルカメラから受信することができる。
また、請求項２６の発明にあっては、前記画像表示装置は、携帯電話機であり、前記特定情報は、前記携帯電話機の機種を特定する情報であるものとした。
【００２２】
また、請求項２７の発明にあっては、被写体を撮像し画像データとして記録するデジタルカメラと、このデジタルカメラから受信した画像データに基づく画像を表示する外部画像表示装置とからなる画像送受信システムであって、前記外部画像表示装置は、該外部画像表示装置が有する画像の表示能力に関する能力情報を前記デジタルカメラに出力する第１の出力手段を備え、前記デジタルカメラは、前記第１の出力手段から出力された前記能力情報を受信する第１の受信手段と、この第１の受信手段により受信された能力情報に基づいて、元画像データを前記外部画像表示装置が有する画像の表示能力に応じた画像データに変換する変換手段と、この変換手段による変換後の画像データを前記外部画像表示装置へ出力する第２の出力手段とを備え、前記外部画像表示装置は、更に、前記第２の出力手段から出力された変換後の画像データを受信する第２の受信手段と、この第２の受信手段により受信された画像データに基づく画像を前記表示手段に表示させる制御手段とを備えたものとした。
【００２３】
また、請求項２８の発明にあっては、被写体を撮像し画像データとして記録するデジタルカメラと、このデジタルカメラから受信した画像データに基づく画像を表示する外部画像表示装置とからなる画像送受信システムであって、前記外部画像表示装置は、該外部画像表示装置が有する画像の表示能力を特定する特定情報を前記デジタルカメラに出力する第１の出力手段を備え、前記デジタルカメラは、異なる複数の前記能力情報を記憶する記憶手段と、前記第１の出力手段から出力された前記特定情報を受信する第１の受信手段と、この第１の受信手段により受信された特定情報により特定される、前記記憶手段に記憶されている能力情報に基づいて、元画像データを前記外部画像表示装置が有する画像の表示能力に応じた画像データに変換する変換手段と、この変換手段による変換後の画像データを前記外部画像表示装置へ出力する第２の出力手段とを備え、前記外部画像表示装置は、更に、前記第２の出力手段から出力された変換後の画像データを受信する第２の受信手段と、この第２の受信手段により受信された画像データに基づく画像を前記表示手段に表示させる制御手段とを備えたものとした。
【００２５】
【発明の実施の形態】
以下、本発明の一実施の形態を図にしたがって説明する。図１〜図８は、本発明の第１の実施の形態を示す図である。
【００２６】
図１は、本実施の形態の画像送受信システムにおけるデジタルカメラ１と、画像表示装置である携帯電話機３１の外観図である。デジタルカメラ１のカメラ本体２の背面には、カラーＬＣＤからなるビューファインダ３、スライド型の電源キー４が配設され、カメラ本体２の上面には、シャッターキー５と、撮像用のＲＥＣスルーモードと記録画像再生用のＰＬＡＹモードの切り替えを行うモード切替キーや、各種の設定操作を行うための設定キーなどからなる複数の操作キー６が配設されている。また、カメラ本体２の側面にはデータ通信ケーブル８の一端が接続されている入出力端子７が配設されている。
【００２７】
携帯電話機３１は、アンテナ３２が突出する電話機本体３３の表面に、スピーカ３４、マイク３５、透明カバーで覆われたカラーＬＣＤ３６、電源キー３７、フック切換キー３８、メニューの切り替えやカーソル移動用の４方向操作キー３９、数字・記号・アルファベット兼用の複数の文字入力キー４０が配設されている。また、電話機本体３３の側面には、前記データ通信ケーブル８の他端が接続されている入出力端子４１が配設されている。
【００２８】
図２は、前記デジタルカメラ１の主として電気的構成を示すブロック図である。デジタルカメラ１は、前記カメラ本体２の前面側に配設されているレンズ１１、撮像部１２、信号処理回路１３、ＣＰＵ１４、ＲＯＭ１５、作業用のＲＡＭ１６、フラッシュメモリからなる記録用メモリ１７、キー入力部１８、通信インターフェィス回路１９、ビデオＲＡＭ２０、画像処理部２１、時計部２２、表示回路２３、表示素子２４等から構成されている。撮像部１２は、レンズ１１を介して入射した被写体の光学像を画像信号に変換し信号処理回路１３に出力する固体撮像素子であるＣＣＤ、ＣＣＤを駆動するためのドライバ、タイミングジェネレータ等からなり、前記ＣＣＤにおける信号電荷の蓄積時間（シャッタースピード）がＣＰＵ１４により制御される。
【００２９】
前記信号処理回路１３は、撮像部１２から出力されるアナログの撮像信号のゲイン調整や、それに対する色信号処理、及びデジタル信号への変換を行う。デジタル信号へ変換された１フレーム分の画像データは、いったん画像処理部２１において処理されビデオＲＡＭ２０へ送られ、表示回路２３によってビデオ信号が生成される。これにより撮像待機状態にあるＲＥＣスルーモードの設定時には、撮像された被写体像が前記ビューファインダ３を構成する表示素子２４（カラーＬＣＤ）にスルー画像として表示される。
【００３０】
画像処理部２１は、ＪＰＥＧ（Joint Photographic Expert Group）方式による画像データの圧縮（符号化）、伸張（復号化）、及び画像データのフォーマット変換、縮小、回転、減色等の各種処理を行うための画像プロセッサ及びそれに付随する作業用のメモリ等から構成されており、ＲＥＣスルーモードが設定された状態でシャッターキー５が押された撮影時には、１フレーム分の画像データが画像処理部２１により圧縮され、ＪＰＥＧファイルとして記録用メモリ１７に記録される。
【００３１】
図３は、記録用メモリ１７における画像ファイルの格納構造（ａ）、及び画像ファイル構造（ｂ）を示す図である。同図（ａ）に示すように記録用メモリ１７には、ツリー構造をなす２つのフォルダ「ＤＣＩＭ」と「ＰＲＥＶＩＥＷ」とが予め確保されており、ＤＣＩＭフォルダ以下には本画像ファイル（ＰＩＣＴ−１．ｊｐｇ、ＰＩＣＴ−２．ｊｐｇ、・・・）が格納され、「ＰＲＥＶＩＥＷ」フォルダ以下には前記本画像データに対応するプレビュー画像ファイル（ＰＩＣＴ−１．ｊｐｇ、ＰＩＣＴ−２．ｊｐｇ、・・・）が格納される。
【００３２】
図３（ｂ）に示したように、本画像ファイルには、付加情報１００ａ、サムネイル画像データ１００ｂ、撮像画像の符号化データである本画像データ１００ｃとが含まれており、付加情報１００ａは撮影情報や縦画像フラグ等から構成されている。撮影情報は、本画像の撮影時に設定されていた撮影モードの種類、シャッタースピード、絞り値、撮影日時、予め使用者により設定され記録用メモリ１７等に記憶されている撮影者の名前等の情報であり、縦画像情報は、本画像がカメラ本体２を縦向きにした状態で撮影された（フレーミングが縦長である）縦画像か否かの別と、縦画像である場合における向き、すなわち撮影時にカメラ本体２が傾けられた向きを示す情報である。前記本画像データ１００ｃに基づく本画像（記録画像）のサイズは、撮影時に設定されていたサイズ（撮影時に設定されていた解像度）、例えば１２８０×９６０画素や８００×６００画素である。
【００３３】
サムネイル画像データ１００ｂは、撮影時に本画像と共に記録され、主にＰＬＡＹモードの設定時に記録画像を縮小画像で一覧表示させるときに用いられるデータであって、本実施の形態おいてサムネイル画像データ１００ｂに基づくサムネイル画像のサイズは１６０×１２０画素である。また、図示しないが、プレビュー画像ファイルは、前述した付加情報１００ａやサムネイル画像データ１００ｂを含まないＪＰＥＧファイルであり、プレビュー画像ファイルに格納されているプレビュー画像データは、記録画像の高速表示を目的として、サムネイル画像よりも解像度が高く（サイズが大きく）、かつ本画像より小さいサイズ（本実施の形態では３２０×２４０画素）のプレビュー画像を形成するデータとなっている。なお、本実施の形態において、プレビュー画像及びサムネイル画像は、撮影時に本画像と同時に生成され記録されるが、記録用メモリ１７の残り容量が足りない場合には記録が省略される。
【００３４】
キー入力部１８は、前述した電源キー４、シャッターキー５、モード切替キー等を含み、デジタルカメラ１における各種処理の選択に際して使用者の操作に応じた各種操作信号をＣＰＵ１４に出力する。通信インターフェィス回路１９は、前記携帯電話機３１との間でデータ通信を行うための回路であり、通信インターフェィス回路１９には前記入出力端子７が接続されている。時計部２２は、タイマー機能やカレンダー機能を有しており、現在の日付データ、曜日データ、時刻データをＣＰＵ１４に出力する。
【００３５】
ＣＰＵ１４は、ＲＯＭ１５に記憶された各種プログラムに基づいて、ＲＡＭ１６のワークメモリを作業領域に使用しつつ、キー入力部１８の各キーの操作に応じた処理を実行して、デジタルカメラ１の各部を制御する。また、ＣＰＵ１４は、画像データ通信モードが設定された状態において、所定のプロトコルに従い通信インターフェィス回路１９を介して前記携帯電話機３１へ画像データを送信する。
【００３６】
図４は、前記携帯電話機３１の電気的構成を示すブロック図である。携帯電話機３１は、アンテナ３２、無線部４２、音声変換回路部４３、スピーカ３４、マイク３５、制御部４４、ＲＯＭ４５、ＲＡＭ４６、時計部４７、キー入力部４８、リンガ用スピーカ４９、液晶表示部５０、設定データメモリ５１、メール保存メモリ５２、通信インターフェィス回路５３から構成されている。
【００３７】
アンテナ３２は図示しない基地局との間で、所定の周波数帯の制御信号及び音声信号を含む送信信号及び受信信号を送受信し無線部４２へ出力する。無線部４２は、音声変換回路部４３から入力される送信データを所定の無線周波数の送信信号に周波数変換しアンテナ３２から基地局へ送信したり、アンテナ３２により受信した受信信号を周波数変換して、音声変換回路部４３に出力する。音声変換回路部４３は、図示しないモデム部等を有するとともに、モデム部を介して送受信する音声の処理や、ボリュウム、呼び出し音及びトーン信号等の制御を行うとともに基地局との間で無線通信プロトコルに基づく通信制御シーケンスを実行する。
【００３８】
前記時計部４７は、タイマー機能やカレンダー機能を有しており、現在の日付データ、曜日データ、時刻データを制御部４４に出力する。キー入力部４８は、前述した電源キー３７、４方向操作キー３９、文字入力キー４０を含み各種処理の選択に際して使用者の操作に応じた各種操作信号を制御部４４に出力する。液晶表示部５０は、前記カラーＬＣＤ３６及びその駆動回路からなり、キー入力部４８から入力した相手先の電話番号や、携帯電話機３１の機能設定時におけるメニュー画面等の各種情報を表示する。通信インターフェィス回路５３は、前記デジタルカメラ１との間でデータ通信を行うための回路であり、通信インターフェィス回路５３には前記入出力端子４１が接続されている。
【００３９】
設定データメモリ５１は、使用者が登録された相手先の電話番号や装置の動作に関する設定データを記憶するメモリであって、さらに本実施の形態においては、図５に示すような画像仕様データ１１０が記憶されている。画像仕様データ１１０は、同図（ａ）に示したように、携帯電話機３１において扱うことができる画像データの形式を示すフォーマット種別データ１１０ａ、液晶表示部５０においてカラーＬＣＤ３６に表示可能な最大サイズ、つまり縦横方向の最大画素数を示す画像サイズデータ１１０ｂ、カラーＬＣＤ３６で表現可能な色数を示す色数データ１１０ｃ、カラー画像の中から同時に表現できる色の種類を示す減色用パレットデータ１１０ｄから構成されている。前記減色用パレットデータ１１０ｄは、図５（ｂ）に示したように、表現可能な色数（本実施の形態では２５６色）に応じたテーブル番号（色番号）と、それに対応するＲＧＢの色成分の相対的な強さの値（輝度値）とからなるテーブルデータである。
【００４０】
メール保存メモリ５２は、受信した電子メールや送信済みの電子メール、及び送信が保留された電子メールを格納するメモリであるとともに、後述する画像データの通信モードでの動作に伴いデジタルカメラ１から受信した画像データ、及び画像データに付随するテキストデータを格納するための画像データ格納エリア５２ａが予め確保されている。画像データ格納エリア５２ａに記憶された画像データは、例えばカラーＬＣＤ３６の表示画面に壁紙用、すなわち背景用の画像のデータとして使用される。なお、設定データメモリ５１及びメール保存メモリ５２は、電源スイッチがオフ状態にあるとき、及び電源電池の交換に際しても記憶データが保持状態を維持される不揮発性メモリである。
【００４１】
制御部４４はＣＰＵ等から構成され、ＲＯＭ４５に格納されている通信処理プログラムに従った通信制御、カラーＬＣＤ３６における画面表示制御、電子メールの送受信に要するデータ処理を行う。ＲＡＭ４６は、制御部４４の各処理プログラムを実行する際に各種データを一時的に格納する。
【００４２】
次に、本実施の形態における動作を図６〜図８に従い説明する。図６は、図１に示したようにデジタルカメラ１と携帯電話機３１とがデータ通信ケーブル８を介して接続された状態において、使用者の操作に伴い、デジタルカメラ１側に記録されている画像が携帯電話機３１側へ送信されるときの通信シーケンスを示す図、図７は、それに対応する携帯電話機３１の動作（ａ）とデジタルカメラ１の動作（ｂ）を示すフローチャートである。
【００４３】
以下、両者間における画像データの通信処理手順を図７に基づき説明する。まず、デジタルカメラ１のＣＰＵ１４は、使用者により所定のキー操作が行われ通信モードが指定された後（ステップＳＡ１でＹＥＳ）、例えば所望する画像をビューファインダ３に表示させる等の操作により送信対象の画像が選択されると（ステップＳＡ２でＹＥＳ）、通信確立指示の受信待ち状態となる。一方、携帯電話機３１の制御部４４は、使用者により所定のキー操作が行われ通信モードが指定された後（ステップＳＢ１でＹＥＳ）、さらに受信開始操作が行われると（ステップＳＢ２でＹＥＳ）、通信確立指示信号をデジタルカメラ１へ送信する（ステップＳＢ３）。この通信確立指示信号を受信すると（ステップＳＡ３でＹＥＳ）、デジタルカメラ１は通信確立応答信号を携帯電話機３１へ返す（ステップＳＡ４）。この通信確立応答信号を受信すると（ステップＳＢ４でＹＥＳ）、携帯電話機３１の制御部４４は、前記設定データメモリ５１から前述した画像仕様データ１１０を読み出すとともに、これを画像取得指示コマンドとしてデジタルカメラ１へ送信する（ステップＳＢ５）。また、デジタルカメラ１のＣＰＵ１４は、画像取得指示コマンドを受信すると（ステップＳＡ５でＹＥＳ）、それをＲＡＭ１６に記憶するとともに、その画像仕様データ１１０に基づき指定規格に応じた指定画像の作成処理を行う（ステップＳＡ６）。
【００４４】
図８は、デジタルカメラ１のＣＰＵ１４が実行する指定画像作成処理を示す図であって、かかる処理においてＣＰＵ１４は、まず、受信した画像サイズデータ１１０ｂが示す指定画像サイズを判別する（ステップＳＡ６０１）。ここで、指定画像サイズが１６０×１２０画素以下のサイズであった場合には、ステップＳＡ２で選択されてビューファインダ３に表示している送信画像（選択画像）に対応するサムネイル画像データが本画像ファイルに存在していれば（ステップＳＡ６０２でＹＥＳ）、サムネイル画像データを元データとして設定する（ステップＳＡ６０３）。また、ステップＳＡ６０１で判別した指定画像サイズが１６０×１２０画素よりも大きく、かつ３２０×２４０画素以下であった場合には、送信画像に対応するプレビューファイルが記録用メモリ１７に存在していたとき（ステップＳＡ６０４でＹＥＳ）、及びステップＳＡ６０１で判別した指定画像サイズが１６０×１２０画素以下のサイズであるにもかかわらず、送信画像に対応するサムネイル画像データが存在しないときには（ステップＳＡ６０２でＮＯ）、プレビュー画像データを元データとして設定する（ステップＳＡ６０５）。また、ステップＳＡ６０１で判別した指定画像サイズが３２０×２４０画素よりも大きい場合、及びステップＳＡ６０１で判別した指定画像サイズが１６０×１２０画素よりも大きく、かつ３２０×２４０画素以下であるにもかかわらず、対応するプレビューファイルも存在しないときには（ステップＳＡ６０４でＮＯ）、直ちに本画像データを元データとして設定する（ステップＳＡ６０６）。
【００４５】
次に、ビューファインダ３に表示している送信画像について、その本画像ファイルの付加情報１００ａに含まれる縦画像フラグに基づき、フレーミングが縦長である縦画像か否かを判別する（ステップＳＡ６０７）。そして、縦画像であったときには、元データとして設定した（サムネイル画像データ、プレビュー画像データ、本画像データのいずれかの）画像データに対し、いったん画像を左右の所定方向へ９０°回転させる処理を行った後に（ステップＳＡ６０８）、また縦画像でなかったときには、回転処理を経ずに直ちに元データに対し送信画像を指定サイズに変更する縮小処理を行う（ステップＳＡ６０９）。しかる後、受信した減色用パレットデータ１１０ｄを用いて上記元データに減色処理を施すとともに（ステップＳＡ６１０）、減色後の元データを、受信したフォーマット種別データ１１０ａにより示される画像フォーマットのデータに変換し、送信画像データとしてＲＡＭ１６に記憶する（ステップＳＡ６１１）。
【００４６】
引き続き、上述した指定画像作成処理が終了すると、デジタルカメラ１のＣＰＵ１４は、図７に示したように、ビューファインダ３に表示中の送信画像の本画像ファイルから付加情報１００ａに含まれる撮影者名（＊＊＊＊）を読み出し、送信画像の著作権者を明らかにする著作権情報として、例えば「著作権者：＊＊＊＊」のようなテキストデータを作成する（ステップＳＡ７）。しかる後、携帯電話機３１へ画像作成終了通知信号を送信してから（ステップＳＡ８）、指定画像作成処理で予めＲＡＭ１６に記憶しておいた画像データ、前記テキストデータを順次送信する（ステップＳＡ９、ＳＡ１０）。携帯電話機３１の制御部４４は、画像作成終了通知信号の受信に伴い（ステップＳＢ６でＹＥＳ）、画像データとテキストデータの受信を開始し、受信したデータをＲＡＭ４６に順次蓄積する（ステップＳＢ７）。
【００４７】
そして、全てのデータの受信が完了した時点で（ステップＳＢ８でＹＥＳ）、デジタルカメラ１に対しデータの取得成功通知信号を送信する（ステップＳＢ９）。デジタルカメラ１は、その信号を受信することにより（ステップＳＡ１１でＹＥＳ）、画像の送信にかかる動作を終了する。また、携帯電話機３１の制御部４４は、全てのデータの受信が完了すると、受信した画像データ及びテキストデータをメール保存メモリ５２の画像データ格納エリア５２ａに保存した後（ステップＳＢ１０）、受信した画像データに基づく指定画像をカラーＬＣＤ３６に表示させ（ステップＳＢ１１）、これにより受信した画像を使用者に確認させて画像の受信にかかる動作を終了する。
【００４８】
したがって、本実施の形態によれば、携帯電話機３１が有する画像の表示能力が低くとも、デジタルカメラ１が有する画像を、携帯電話機３１において直ちに使用することができる。また、デジタルカメラ１は、携帯電話機３１から受信した画像仕様データに基づき指定画像の作成処理を行うため、画像の表示スペックの異なる任意の携帯電話機３１についても常に対応できる。また、受信した色数データ１１０ｃと減色用パレットデータ１１０ｄとに基づき指定画像の減色処理を行うため、その画像を携帯電話機３１で表示したとき元の画像の色がより一層正確に再現できる。
【００４９】
また、本実施の形態においては、デジタルカメラ１が同一画像を構成する画像データとしてサイズの異なる３種類の画像データを備えるとともに、前述した指定画像作成処理では、３種類の画像データから指定サイズに近いものを選択して送信画像の元となる画像データを作成するため、その処理を短時間で行うことができる。したがって、デジタルカメラ１と携帯電話機３１との間における画像データの通信時間が短くて済む。しかも、送信画像の元となる画像データとして、常に指定サイズによりも大きな画像データを用いるため、送信画像の作成段階における画質の劣化を最上限に抑えることもできる。
【００５０】
なお、本実施の形態においては、デジタルカメラ１が携帯電話機３１から、携帯電話機３１（カラーＬＣＤ３６）において表現可能な色数を示す色数データ１１０ｃと、カラー画像の中から同時に表現できる色の種類を示す減色用パレットデータ１１０ｄとを受信し、それに基づき送信画像の減色処理を行うものについて説明したが、色数データ１１０ｃを受信することなく、減色用パレットデータ１１０ｄの内容から減色すべき色数を判断させるようにしてもよい。また、携帯電話機３１が受信した画像を表示する際における色の再現性は低下するが、デジタルカメラ１が、減色用パレットデータ１１０ｄを受信することなく、減色する色数に基づいて画像処理部２１によって汎用的な減色用パレットデータを作成し、かつそれを用いて送信画像の減色処理を行う構成としてもよい。
【００５１】
また、携帯電話機３１がカラー画像を表示可能な場合について説明したが、携帯電話機３１がモノクロ画像しか表示できない機種である場合には、デジタルカメラ１が、携帯電話機３１から、その表示可能な最大サイズを示す画像サイズデータ１１０ｂのみを受信するとともに、送信画像の元となる画像データにサイズ変更処理だけを施すシステムとしてもよい。さらに、携帯電話機３１が、画像データのフォーマット変換機能を有しているものにおいては、デジタルカメラ１におけるフォーマット種別データ１１０ａの受信及び送信画像の元となる画像データに対するフォーマット変換処理は不要である。
【００５２】
（第２の実施の形態）
次に、本発明の第２の実施の形態を説明する。本実施の形態は、第１の実施の形態とほぼ同様の構成からなる画像送受信システムに関するものである。以下、第１の実施の形態と異なる部分について説明する。
【００５３】
すなわち、本実施の形態の携帯電話機３１においては、前記設定データメモリ５１に画像仕様データ１１０（図５）が記憶されず、前記ＲＯＭ４５には自己の機種を示す機種名データが予め記憶されている。また、デジタルカメラ１のＲＯＭ１５には、図９に示した変換仕様データ１２０、及び図１０に示したパレットデータ１２１を構成するデータが予め記憶されている。変換仕様データ１２０は、携帯電話機３１の機種を示す複数の機種名データ１２０ａと、各機種名データ１２０ａにそれぞれ対応するフォーマット種別データ１２０ｂ、画像サイズデータ１２０ｃ、色数データ１２０ｄ、パレット番号データ１２０ｅとから構成されたテーブルデータである。なお、フォーマット種別データ１２０ｂ、画像サイズデータ１２０ｃ、色数データ１２０ｄについては、図５（ａ）において既説したフォーマット種別データ１１０ａ、画像サイズデータ１１０ｂ、色数データ１１０ｃと同様のデータである。
【００５４】
また、パレット番号データ１２０ｅは図１０のパレットデータ１２１を構成する番号データ１２１ａを示すデータである。図１０のパレットデータ１２１は、複数の番号データ１２１ａと、番号データ１２１ａにより管理される互いに異なる種類の減色用パレットデータ１２１ｂとから構成されている。減色用パレットデータ１２１ｂは、図５（ｂ）において既説した減色用パレットデータ１１０ｄと同様のテーブルデータである。なお、ＲＯＭ１５に予め記憶されている減色用パレットデータ１２１ｂの種類と色数データ１２０ｄとの種類は、一対一の関係でも構わないが、携帯電話機３１において、デジタルカメラ１から受信した画像を表示する際における色の再現性を確保することを考えると、減色用パレットデータ１２１ｂには、より多くの種類のデータを用意しておくことが望ましい。
【００５５】
そして、本実施の形態においても、デジタルカメラ１のＣＰＵ１４と携帯電話機３１の制御部４４が、ＲＯＭ１５，４５に記録されたプログラムに従い動作することにより、第１の実施の形態で図６及び図７で説明した手順と同様の手順で双方間における画像データの送受信が行われる。
【００５６】
ただし、本実施の形態おいて、携帯電話機３１の制御部４４は、図７（ａ）のステップＳＢ５の処理では、ＲＯＭ４５から前記機種名データを読み出すとともに、これを画像取得指示コマンドとしてデジタルカメラ１へ送信する。また、これと対応しデジタルカメラ１のＣＰＵ１４は、図７（ｂ）のステップＳＡ６では、図１１に示した指定画像作成処理を実行する。すなわち、ＣＰＵ１４は、まず、ＲＯＭ１５内の前記変換仕様データ１２０（図９参照）から、携帯電話機３１から受信した機種名データと一致する機種名データ１２０ａに対応するフォーマット種別データ１２０ｂ、画像サイズデータ１２０ｃ、色数データ１２０ｄ、パレット番号データ１２０ｅを読み出す（ステップＳＡ７０１）。
【００５７】
それ以後は、読み出した各データによって示される仕様に応じて、図８で説明した指定画像作成処理のステップＳＡ６０１〜ＳＡ６１１と同様の処理を行い（ステップＳＡ７０２〜ＳＡ７１２）、前記元データから指定画像を作成する。このとき、ステップＳＡ７１１におけるサイズ変更後の画像データに対する減色処理に際しては、ＲＯＭ１５から前記パレット番号データ１２０ｅにより示される番号データ１２１ａに対応する減色用パレットデータ１２１ｂを読み出して、それを使用する。すなわち図９及び図１０に即して説明すると、携帯電話機３１から受信した機種名データが「ＡＡＡ」であれば、減色用パレットデータＰｄ１を使用し、受信した機種名データが「ＣＣＣ」であれば、減色用パレットデータＰｄ３を使用する。
【００５８】
したがって、本実施の形態においても、携帯電話機３１が有する画像の表示能力が低くとも、デジタルカメラ１が有する画像を、携帯電話機３１において直ちに使用することができる。
【００５９】
なお、本実施の形態においては、デジタルカメラ１が、通信モードが設定された後、選択された画像を送信する直前に、携帯電話機３１から受信した機種名データに基づき、その機種の表示スペックに対応する送信画像を作成し、携帯電話機３１へ送信する構成としたが、以下のようにしてもよい。
【００６０】
すなわち、デジタルカメラ１において、前述した通信モードでの動作に際し、携帯電話機３１から機種名データを受信する代わりに、使用者によって通信モードが設定された時点や、送信画像が選択された時点で、図９に示した変換仕様データ１２０として記憶されている複数の機種名データを例えばビューファインダ３に表示させるとともに、使用者にキー操作による機種名の選択操作を行わせる。そして、選択された機種名に対応する変換仕様データ１２０（フォーマット種別データ１２０ｂ、画像サイズデータ１２０ｃ等）により示される表示スペックの送信画像を作成させ、それを携帯電話機３１へ送信させる構成とする。その場合には、例えば使用者が機種が異なる複数台の携帯電話機を所有していたり、機種が異なる携帯電話機を有する仲間同士で同一の画像を壁紙として使用したりする際には便利である。
【００６１】
或いは、通信モードでの使用に先立ち、上記の機種名の選択操作を使用者に行わせるとともに、そこで選択された機種名を記憶しておき、通信モードの実行時には、予め選択されていた機種名に対応する変換仕様データ１２０により示される表示スペックの送信画像を作成させ、それを携帯電話機３１へ送信させる構成としてもよい。
【００６２】
また、携帯電話機３１から機種名データに代えて色数データを受信するように構成するとともに、受信した色数データにより示される色数の減色用パレットデータを使用して送信画像を減色して携帯電話機３１へ送信する構成としてもよい。
【００６３】
（第３の実施の形態）
次に、本発明の第３の実施の形態を説明する。本実施の形態は、第２の実施の形態と同様の構成からなる画像送受信システムにおいて、前記デジタルカメラ１に、使用者によって指定された携帯電話機の機種名を記憶する機種名登録モードが設けられるとともに、デジタルカメラ１のＣＰＵ１４がＲＯＭ１５に記録されたプログラムに従い動作し、以下に述べる処理を実行するものである。なお、ここではデジタルカメラ１のＲＯＭ１５に記憶された変換仕様データ１２０を構成する機種名データ１２０ａが、携帯電話機の機種名（例えば英数字からなる型番）を示すテキストデータである場合を例に説明する。
【００６４】
図１２は、使用者のキー操作によって機種名登録モードが設定されたとき、デジタルカメラ１のＣＰＵ１４が実行する機種名登録処理を示すフローチャートである。ＣＰＵ１４は機種名登録モードが設定されると、まず、ＲＯＭ１５から前記変換仕様データ１２０を構成する複数の機種名データ１２０ａを呼び出し（ステップＳＣ１）、それらをビューファインダ３に表示する（ステップＳＣ２）。そして、使用者のキー操作によりいずれかの機種名が選択されると（ステップＳＣ３でＹＥＳ）、選択された機種名データ１２０ａ（例えば「ＡＡＡ」）を前記記録用メモリ１７の所定領域に記憶する（ステップＳＣ４）。これにより、デジタルカメラ１には、例えば使用者が所有するとともにデジタルカメラ１と画像送受信システムを構成する携帯電話機の機種名が登録される。
【００６５】
また、本実施の形態のデジタルカメラ１においては、ＲＥＣモードでシャッターキー５が押されることに伴い撮像した画像を記録した後、引き続きＣＰＵ１４が図１３のフローチャートに示した指定画像作成処理を実施する。すなわち、ＣＰＵ１４は、撮影画像の記録が終了すると、まず、携帯電話機の機種名が登録されているか否かを判別し（ステップＳＤ１）、登録がなければそのまま処理を終了する。一方、機種名の登録があれば（ステップＳＤ１でＹＥＳ）、ＲＯＭ１５内の前記変換仕様データ１２０（図９参照）から、登録されている機種名に対応するフォーマット種別データ１２０ｂ、画像サイズデータ１２０ｃ、色数データ１２０ｄ、パレット番号データ１２０ｅを読み出す（ステップＳＤ２）。
【００６６】
それ以後は、第２の実施の形態における通信モードでの指定画像作成処理と同様に、読み出した画像サイズデータ１２０ｃによって示された画像サイズに応じて、サムネイル画像データ、プレビュー画像データ、本画像データのいずれかの画像データを元データとして設定する（ステップＳＤ３〜ＳＤ８）。さらに元データの画像が縦画像であれば画像の回転処理を行い、縦画像でなければそのまま指定サイズへの変更処理、減色用パレットデータを用いた減色処理を順次行う（ステップＳＤ９〜ＳＤ１２）。しかる後、フォーマット種別データ１２０ｂにより示されたフォーマットへの変換処理を行い、変換後のデータを記録用メモリ１７に記録する。図１４は、変換後のデータを画像ファイルとして記録する場合における記録用メモリ１７での記録形態を示した図であって、本実施の形態においては、ＤＣＩＭフォルダ以下にＫＥＩＴＡＩフォルダが設けられ、ＫＥＩＴＡＩフォルダ以下に変換後のデータ（ＰＩＣＴ−１．ＡＡＡ、ＰＩＣＴ−２．ＡＡＡ、・・・）が格納される。なお、これに限らず、複数の変換後のデータをファイル形式をとらずに記録用メモリ１７の所定領域にまとめて記録するようにしてもよい。
【００６７】
次に、本実施の形態において、前述した機種名登録処理（図１２参照）、指定画像作成処理（図１３参照）を経た後のデジタルカメラ１から、携帯電話機３１に画像データを送信する場合における双方の動作について説明する。
【００６８】
図１５は、その場合の携帯電話機３１の動作（ａ）とデジタルカメラ１の動作（ｂ）を示すフローチャートである。なお、両者間における基本となる通信シーケンスは第１の実施の形態で図６に示したものと同様である。
【００６９】
以下説明すると、第１及び第２の実施の形態と同様、まず、デジタルカメラ１のＣＰＵ１４は、使用者により所定のキー操作が行われ通信モードが指定された後（ステップＳＥ１でＹＥＳ）、例えば所望する画像をビューファインダ３に表示させる等の操作により送信対象の画像が選択されると（ステップＳＥ２でＹＥＳ）、通信確立指示の受信待ち状態となる。一方、携帯電話機３１の制御部４４は、使用者により所定のキー操作が行われ通信モードが指定された後（ステップＳＦ１でＹＥＳ）、さらに受信開始操作が行われると（ステップＳＦ２でＹＥＳ）、通信確立指示信号をデジタルカメラ１へ送信する（ステップＳＦ３）。この通信確立指示信号を受信すると（ステップＳＥ３でＹＥＳ）、デジタルカメラ１は通信確立応答信号を携帯電話機３１へ返す（ステップＳＥ４）。このとき、デジタルカメラ１は、機種名が登録済みであることを示すコードデータを通信確立応答信号に乗せる。この通信確立応答信号を受信すると（ステップＳＦ４でＹＥＳ）、携帯電話機３１の制御部４４は、単にデータの送信を促すための画像取得指示コマンドをデジタルカメラ１へ送信する（ステップＳＦ５）。
【００７０】
また、デジタルカメラ１のＣＰＵ１４は、画像取得指示コマンドを受信すると（ステップＳＥ５でＹＥＳ）、送信用の画像データ、つまりビューファインダ３に表示している選択画像に対応する画像ファイル（例えば、ＰＩＣＴ．ＡＡＡ）を記録用メモリ１７のＫＥＩＴＡＩフォルダから読み出す（ステップＳＥ６）。引き続き、前記選択画像の本画像ファイルから付加情報１００ａに含まれる撮影者名（＊＊＊＊）を読み出し、送信画像の著作権者を明らかにする著作権情報として、例えば「著作権者：＊＊＊＊」のようなテキストデータを作成する（ステップＳＥ７）。しかる後、携帯電話機３１へ画像準備終了通知信号を送信してから（ステップＳＥ８）、ステップＳＥ６で読み出した画像ファイルのデータ、及び前記テキストデータを順次送信する（ステップＳＥ９、ＳＥ１０）。携帯電話機３１の制御部４４は、画像準備終了通知信号の受信に伴い（ステップＳＦ６でＹＥＳ）、画像データとテキストデータの受信を開始し、受信したデータをＲＡＭ４６に順次蓄積する（ステップＳＦ７）。
【００７１】
そして、全てのデータの受信が完了した時点で（ステップＳＦ８でＹＥＳ）、デジタルカメラ１に対しデータの取得成功通知信号を送信する（ステップＳＦ９）。デジタルカメラ１は、その信号を受信することにより（ステップＳＥ１１でＹＥＳ）、画像の送信にかかる動作を終了する。また、携帯電話機３１の制御部４４は、全てのデータの受信が完了すると、受信した画像データ及びテキストデータをメール保存メモリ５２の画像データ格納エリア５２ａに保存した後（ステップＳＦ１０）、受信した画像データに基づく指定画像をカラーＬＣＤ３６に表示させ（ステップＳＦ１１）、これにより受信した画像を使用者に確認させて画像の受信にかかる動作を終了する。また、本実施の形態においても、使用者によってデジタルカメラ１に携帯電話機３１の機種名が登録されていない場合には、第２の実施の形態と同一の手順で画像データの送受信が行われる。
【００７２】
したがって、本実施の形態においても、携帯電話機３１が有する画像の表示能力が低くとも、デジタルカメラ１が有する画像を、携帯電話機３１において直ちに使用することができる。また、デジタルカメラ１が、撮影時点で携帯電話機３１に送信すべき画像データを事前に作成するため、通信モードでの画像データの通信に要する時間が短縮できる。
【００７３】
なお、本実施の形態で説明した図１５に示した画像データの送受信動作では、デジタルカメラ１に機種名が登録済みであっても、例えばステップＳＥ２で、機種名が登録される以前に記録された画像が送信画像として選択された場合には、送信すべきデータが記録用メモリ１７に存在しないこととなる。したがって、実施に際しては、ステップＳＥ２で送信画像が選択されたら、それと対応する送信すべきデータが記録用メモリ１７に存在するか否かを判別するとともに、送信すべきデータが存在しない場合には、第２の実施の形態と同様の送受信動作に移行する処理を行わせたり、或いは選択した画像が送信できない旨のメッセージをビューファインダ３に表示させる処理を行わせることが望ましい。
【００７４】
また、本実施の形態においては、使用者が使用する携帯電話機の機種名が登録された後の撮影時に、デジタルカメラ１が上記携帯電話機の表示スペックに対応する送信画像を予め作成し記憶しておき、それを通信モードで携帯電話機３１に送信する構成としたが、以下のようにしてもよい。
【００７５】
すなわち、デジタルカメラ１における機種名の登録操作をなくし、撮影時点においては前記変換仕様データ１２０として記憶されている複数の機種の表示スペックに対応する複数種の送信画像を事前に作成し、それらを個々の撮影画像に対応して記憶しておく。そして、使用者により通信モードが設定された時点や、送信画像が選択された時点で、図１２で説明した機種名登録処理と同様の処理を行うことにより、使用者に送信先となる携帯電話の機種名を個別に設定させ、そこで設定された機種名に対応する表示スペックの送信画像を読み出し、それを携帯電話機３１に送信する構成としてもよい。その場合、第２の実施の形態で言及した構成と同様に、例えば使用者が機種が異なる複数台の携帯電話機を所有していたり、機種が異なる携帯電話機を有する仲間同士で同一の画像を壁紙として使用したりする際には便利である。
【００７６】
或いは、上記同様に撮影時点において個々の撮影画像に対応して複数種の送信画像を作成し記憶しておき、通信モードでは、携帯電話機３１から機種名データを受信し、受信した機種名データに対応する表示スペックの送信画像を選択し、それを携帯電話機３１に送信する構成としてもよい。
【００７７】
なお、第２及び第３の実施の形態のように、デジタルカメラ１が、複数種（又は１種類）の携帯電話機３１における画像データの表示スペックに関する仕様情報、すなわち画像仕様データ１１０、減色用パレットデータ１１０ｄ、変換仕様データ１２０、減色用パレットデータ１２１ｂ等を記憶するシステムにおいても、第１の実施の形態で述べたように、記憶する仕様情報の具体的なデータの種類については、対応する携帯電話機３１の表示スペックに応じて適宜増減することができる。
【００７８】
また、以上説明した本実施の形態においては、デジタルカメラ１が、自己が記録している画像を、複数種の携帯電話機に対しその表示スペックに応じた画像データに変換して送信する場合、つまり表示スペックが異なる複数種の携帯電話機に対応するものについて説明したが、本発明のデジタルカメラは、事前に決められた機種の携帯電話機にだけ対応するものであっても構わない。また、デジタルカメラ１が、指定画像の画像データと共に著作権情報を携帯電話機３１に送信するものを示したが、これ以外にも、送信する画像データに関係するものであれば、例えば前述した撮影情報等の他の付加情報をテキストデータに変換して送信するようにしてもよい。さらには、デジタルカメラ１が、例えばテキストデータである前記付加情報等が記載された電子メールを個別に作成し、その電子メールに画像データを添付した状態の送信用データを作成するとともに、それを携帯電話機３１に送信する構成としてもよい。また、デジタルカメラが画像データを送る相手、すなわち本発明における外部画像表示装置は、前述した携帯電話機に限らず、画像データを表示する表示手段を有するものであれば、携帯電話機以外の携帯情報端末などの他の装置であってもよく、その場合においても、各実施の形態で述べたと同様の効果が得られる。
【００７９】
【発明の効果】
以上説明したように本発明のデジタルカメラにおいては、記録されている画像データを外部画像表示装置へ出力するとき、それが外部画像表示装置の表示能力に応じた画像データとして出力できるようにしたことから、外部画像表示装置側においては、受信した画像データに対する変換処理が不要となる。よって、デジタルカメラが有する画像を、画像の表示能力が低い外部画像表示装置においても直ちに使用することが可能となる。
【００８０】
また、画像データを減色画像データとして出力するものでは、外部画像表示装置において画像を表示したとき元の画像の色がより確実に再現できる。また、能力情報を受信するものでは、任意の外部画像表示装置に対しても、記録されている画像データを、それが有する表示能力に適した画像データに変換して出力することができる。また、能力情報に表示色数と、この表示色数分の色を特定する色情報とを含むものでは、外部画像表示装置において画像を表示したとき元の画像の色がより一層正確に再現できる。
【００８１】
また、能力情報を記憶するものでは、その表示能力に適した画像データを瞬時に外部画像表示装置に出力できる。また、元画像データの変換を出力準備段階で行うものでは、変換後の画像データの保存に要する分のメモリが節約できる。また、画像の表示能力が異なる複数の外部画像表示装置に対しても、それに適した画像データを出力することができる。また、複数サイズの画像データのうちの変換速度が最速の画像データを元画像として使用すれば、外部画像表示装置に出力する画像データを作成する時間が短縮できる。また、撮像した画像データを短時間で外部出力用の画像データに変換することができる。
【００８２】
また、本発明の画像表示装置においては、自己の画像の表示能力に適した画像データをデジタルカメラから受信することができ、デジタルカメラが有する画像を直ちに使用することが可能となる。
【図面の簡単な説明】
【図１】本発明の一実施の形態を示す画像送受信システムにおけるデジタルカメラと携帯電話機の外観図である。
【図２】本発明の第１の実施の形態におけるデジタルカメラの電気的構成を示すブロック図である。
【図３】記録用メモリにおける画像ファイルの格納構造（ａ）、及び画像ファイル構造（ｂ）を示す図である。
【図４】同実施の形態における携帯電話機の電気的構成を示すブロック図である。
【図５】同携帯電話機の設定データメモリに記憶されている画像仕様データデータを示す模式図であって、（ａ）はデータ構造、（ｂ）は減色用パレットデータである。
【図６】デジタルカメラから携帯電話機へ画像データを送信するときの通信シーケンスを示す図である。
【図７】（ａ）は、図５に示した通信シーケンス図に対応する携帯電話機の動作を示すフローチャート、（ｂ）は、同通信シーケンス図に対応するデジタルカメラの動作を示すフローチャートである。
【図８】デジタルカメラにおいて通信モードで実行される指定画像作成処理を示すフローチャートである。
【図９】本発明の第２の実施の形態において、デジタルカメラのＲＯＭに記録されている変換仕様データの構成を示す模式図である。
【図１０】同ＲＯＭに記録されているパレットデータの構成を示す模式図である。
【図１１】同実施の形態のデジタルカメラにおいて通信モードで実行される指定画像作成処理を示すフローチャートである。
【図１２】本発明の第３の実施の形態におけるデジタルカメラの機種名登録モードでの動作を示すフローチャートである。
【図１３】同実施の形態のデジタルカメラにおいて撮影直後に実行される指定画像作成処理を示すフローチャートである。
【図１４】同実施の形態の記録用メモリにおける画像ファイルの格納構造を示す図である。
【図１５】デジタルカメラに使用する携帯電話機の機種が設定されているとき、デジタルカメラから携帯電話機へ画像データを送信する際の携帯電話機の動作（ａ）とデジタルカメラの動作（ｂ）を示すフローチャートである。
【符号の説明】
１    デジタルカメラ
８    データ通信ケーブル
６    操作キー
３１    携帯電話機
３６    カラーＬＣＤ
１２    撮像部
１４    ＣＰＵ
１５    ＲＯＭ
１６    ＲＡＭ
１７    記録用メモリ
１９    通信インターフェィス回路
２１    画像処理部
４４    制御部
４５    ＲＯＭ
４６    ＲＡＭ
５１    設定データメモリ
５２    メール保存メモリ
５３    通信インターフェィス回路
１１０    画像仕様データ
１１０ｄ  減色用パレットデータ
１２０    変換仕様データ
１２１ｂ  減色用パレットデータ
【図１】
0003925051.tif 000002
【図２】
0003925051.tif 000003
【図３】
0003925051.tif 000004
【図４】
0003925051.tif 000005
【図５】
0003925051.tif 000006
【図６】
0003925051.tif 000007
【図７】
0003925051.tif 000008
【図８】
0003925051.tif 000009
【図９】
0003925051.tif 000010
【図１０】
0003925051.tif 000011
【図１１】
0003925051.tif 000012
【図１２】
0003925051.tif 000013
【図１３】
0003925051.tif 000014
【図１４】
0003925051.tif 000015
【図１５】
0003925051.tif 000016